(57)【要約】【課題】一括ゴム栓のシール孔が端子金具で傷付けられるのを防止する。【解決手段】コネクタＡは、端子収容室１１が形成されたハウジング１０と、シール孔１７が形成されてハウジング１０の後端部に取り付けられる一括ゴム栓１６と、一括ゴム栓１６の後方に設けられるゴム栓ホルダ２０と、角筒部１３を有し、後方からシール孔１７を貫通して端子収容室１１内に挿入される端子金具１２とを有する。ゴム栓ホルダ２０は、その前面から前方へ延出してシール孔１７の後端部に収容されるガイド部２２を有する。端子金具１２の挿入過程では、角筒部１３が、ガイド部２２への摺接により、端子金具１２の挿入方向と交差する方向における正規位置へ誘導される。【選択図】図１
2013073719.tif 000002
【特許請求の範囲】
【請求項１】
内部に複数の端子収容室が形成されたハウジングと、
前記端子収容室と対応する複数のシール孔が形成されていて、前記ハウジングの後端部に取り付けられる一括ゴム栓と、
前記シール孔と対応する複数の貫通孔を有し、前記一括ゴム栓の後方に配されるゴム栓ホルダと、
角筒部を有し、後方から前記シール孔を貫通して前記端子収容室内に挿入される端子金具とを備え、
前記端子金具を前記端子収容室に挿入する過程では、前記角筒部が前記シール孔を弾性的に拡開させるようになっているコネクタにおいて、
前記ゴム栓ホルダには、前記ゴム栓ホルダの前面から前記端子金具の挿入方向前方に向かって片持ち状に延出した形態であって、前記シール孔の後端部に収容されるガイド部が形成され、
前記端子金具の挿入過程では、前記角筒部が、前記ガイド部への摺接により、前記端子金具の挿入方向と交差する方向における正規位置へ誘導されるようになっていることを特徴とするコネクタ。
【請求項２】
前記ガイド部は、前記端子金具の挿入経路を挟んで対向するように、且つ前記端子金具の挿入方向前方に向かって対向間隔が狭まるように傾斜した一対のガイド片を備えて構成され、
前記一対のガイド片は、その後端部を支点として弾性変位可能とされていることを特徴とする請求項１記載のコネクタ。
【請求項３】
前記貫通孔は略方形をなし、
前記ガイド部は、前記貫通孔の開口縁の４辺から角筒状に延出し、且つ前記端子金具の挿入方向前方に向かって細くなるようなテーパ状をなしていることを特徴とする請求項１記載のコネクタ。
【請求項４】
前記シール孔の内周には、前記角筒部が通過する際に弾性撓みするリップ部が形成されており、
前記ガイド部は、前記リップ部と非接触の状態に保たれていることを特徴とする請求項１ないし請求項３のいずれか１項に記載のコネクタ。
【発明の詳細な説明】
【技術分野】
【０００１】
本発明は、コネクタに関するものである。
【背景技術】
【０００２】
特許文献１には、防水タイプのコネクタが開示されている。このコネクタは、内部に複数の端子収容室が形成されたハウジングと、端子収容室と対応する複数のシール孔が形成されていてハウジングの後端部に取り付けられる一括ゴム栓と、後方からシール孔を貫通して端子収容室内に挿入される端子金具とを備えている。端子金具は角筒部を有し、端子金具の後端部には電線が接続されている。端子金具を挿入する過程では、角筒部がシール孔を弾性的に拡開させる。端子金具がシール孔を通過して端子収容室内に挿入されると、電線の外周とシール孔の内周とが弾性的に密着してシールされる。
【先行技術文献】
【特許文献】
【０００３】
【特許文献１】特開２００５−３１７３８５号公報
【発明の概要】
【発明が解決しようとする課題】
【０００４】
上記のコネクタでは、端子金具が挿入方向と交差する方向へ位置ずれした状態でシール孔内に進入した場合、角筒部の角縁部が、シール孔の内周の一部を局所的に強く押圧するため、その押圧力によってシール孔の内周が傷付けられることが懸念される。
本発明は上記のような事情に基づいて完成されたものであって、一括ゴム栓のシール孔が端子金具によって傷付けられるのを防止することを目的とする。
【課題を解決するための手段】
【０００５】
上記の目的を達成するための手段として、請求項１の発明は、内部に複数の端子収容室が形成されたハウジングと、前記端子収容室と対応する複数のシール孔が形成されていて、前記ハウジングの後端部に取り付けられる一括ゴム栓と、前記シール孔と対応する複数の貫通孔を有し、前記一括ゴム栓の後方に配されるゴム栓ホルダと、角筒部を有し、後方から前記シール孔を貫通して前記端子収容室内に挿入される端子金具とを備え、前記端子金具を前記端子収容室に挿入する過程では、前記角筒部が前記シール孔を弾性的に拡開させるようになっているコネクタにおいて、前記ゴム栓ホルダには、前記ゴム栓ホルダの前面から前記端子金具の挿入方向前方に向かって片持ち状に延出した形態であって、前記シール孔の後端部に収容されるガイド部が形成され、前記端子金具の挿入過程では、前記角筒部が、前記ガイド部への摺接により、前記端子金具の挿入方向と交差する方向における正規位置へ誘導されるようになっているところに特徴を有する。
【０００６】
請求項２の発明は、請求項１に記載のものにおいて、前記ガイド部は、前記端子金具の挿入経路を挟んで対向するように、且つ前記端子金具の挿入方向前方に向かって対向間隔が狭まるように傾斜した一対のガイド片を備えて構成され、前記一対のガイド片は、その後端部を支点として弾性変位可能とされているところに特徴を有する。
【０００７】
請求項３の発明は、請求項１に記載のものにおいて、前記貫通孔は略方形をなし、前記ガイド部は、前記貫通孔の開口縁の４辺から角筒状に延出し、且つ前記端子金具の挿入方向前方に向かって細くなるようなテーパ状をなしているところに特徴を有する。
【０００８】
請求項４の発明は、請求項１ないし請求項３のいずれかに記載のものにおいて、前記シール孔の内周には、前記角筒部が通過する際に弾性撓みするリップ部が形成されており、前記ガイド部は、前記リップ部と非接触の状態に保たれているところに特徴を有する。
【発明の効果】
【０００９】
＜請求項１の発明＞
端子金具の角筒部は、ガイド部によって正規の位置へ誘導されるので、シール孔の内周を傷付ける虞はない。
【００１０】
＜請求項２の発明＞
端子金具が位置ずれ状態で挿入されると、ガイド片は、端子金具に押されて一時的に弾性変位するが、端子金具は、ガイド片に摺接する間にガイド片の弾性復元力によって位置を矯正される。
【００１１】
＜請求項３の発明＞
ガイド部は４辺から延出しているので、端子金具の位置ずれ方向がどのような方向であっても、端子金具の位置ずれが矯正される。
【００１２】
＜請求項４の発明＞
ガイド部がリップ部と非接触の状態に保たれているので、リップ部がガイド部によって傷付けられたり、不正な変形を生じたりする虞はない。
【図面の簡単な説明】
【００１３】
【図１】実施形態１のコネクタの部分拡大断面図
【図２】ゴム栓ホルダの正面図
【図３】ゴム栓ホルダの背面図
【図４】実施形態２のコネクタの部分拡大断面図
【図５】ゴム栓ホルダの正面図
【図６】ゴム栓ホルダの背面図
【発明を実施するための形態】
【００１４】
＜実施形態１＞
以下、本発明を具体化した実施形態１を図１〜図３を参照して説明する。本実施形態のコネクタＡは、ハウジング１０と、複数の雌形の端子金具１２と、一括ゴム栓１６と、ゴム栓ホルダ２０とを組み付けて構成されている。
【００１５】
ハウジング１０は、合成樹脂製であり、その内部には前後方向に貫通する複数の端子収容室１１が形成されている。各端子収容室１１内には、夫々、後方から端子金具１２が挿入されるようになっている。端子金具１２は、全体として前後方向に細長く、端子金具１２の前端部には、角筒部１３が形成されている。端子金具１２の高さ寸法（端子収容室１１に対する端子金具１２の挿入方向と交差する方向の寸法）及び幅寸法（端子収容室１１に対する端子金具１２の挿入方向と交差する方向の寸法）は、角筒部１３において最大である。角筒部１３内には、雄形の相手側端子（図示省略）のタブに対して弾性的に接触する弾性接触片（図示省略）が収容されている。端子金具１２の後端部の電線接続部１４には、電線１５が、圧着により導通可能に固着されている。電線１５の外径は、角筒部１３の幅寸法及び高さ寸法よりも小さい。
【００１６】
一括ゴム栓１６は、ハウジング１０の後端面に当接又は接近して対向するように取り付けられている。一括ゴム栓１６には、端子収容室１１と個別に対応する複数のシール孔１７が、貫通形態で形成されている。シール孔１７の内周は円形をなし、シール孔１７の内周面には、前後方向に間隔を空けた複数のリップ部１８が形成されている。リップ部１８の最小内径は、電線１５の外径寸法よりも小さく設定されているので、角筒部１３の幅寸法及び高さ寸法よりも小さい。リップ部１８は、端子金具１２（角筒部１３）がシール孔１７を通過するときに弾性撓みを生じる。また、シール孔１７の後端部（複数のリップ部１８のうち最も後方に位置するリップ部１８よりも、更に後方の空間領域）は収容空間１９となっており、この収容空間１９は、隣り合うリップ部１８間の谷部の最大内径よりも大径の空間である。また、収容空間１９は、一括ゴム栓１６の後端面に開口されている。
【００１７】
ゴム栓ホルダ２０は、合成樹脂製であり、一括ゴム栓１６の後端面と当接又は接近して対向するように配されてハウジング１０に組み付けられている。このゴム栓ホルダ２０は、一括ゴム栓１６がハウジング１０から後方へ離脱するのを規制する。ゴム栓ホルダ２０には、各端子収容室１１及びシール孔１７と個別に対応するように複数の貫通孔２１が形成されている。貫通孔２１は、開口形状が略方形であり、端子金具１２の角筒部１３が貫通し得る大きさに設定されている。端子金具１２を端子収容室１１に挿入する際には、貫通孔２１とシール孔１７とを順に通過する。そして、端子金具１２がシール孔１７を通過して端子収容室１１内に収容されると、電線１５が、シール孔１７を貫通する状態となり、リップ部１８が弾性撓みした状態で電線１５の外周面に液密状に密着するようになっている。
【００１８】
本実施形態１では、端子金具１２が挿入する際に、挿入方向と交差する方向（上下方向）へ位置ずれしたときに、その位置ずれを矯正して端子金具１２を正規の挿入経路へ誘導するための手段として、ゴム栓ホルダ２０にガイド部２２が一体に形成されている。
【００１９】
図１に示すように、ガイド部２２は、ゴム栓ホルダ２０の前面から端子収容室１１に対する端子金具１２の挿入方向前方（図１における左方）に向かって片持ち状に延出した形態であって、上下対称な一対の平板状をなすガイド片２３を備えて構成されている。一対のガイド片２３は、端子金具１２の挿入経路を挟んで上下方向（端子金具１２の挿入方向と交差する方向）に対向するように配置されている。また、一対のガイド片２３は、端子金具１２の挿入方向に対して斜めをなし、端子金具１２の挿入方向前方に向かって対向間隔が次第に狭まるように傾斜している。
【００２０】
上側のガイド片２３は、貫通孔２１の前面側の開口縁のうち上縁部から斜め下前方へ片持ち状に延出し、後端縁（貫通孔２１の上縁部）を略支点として上下方向へ弾性的に揺動し得るようになっている。下側のガイド片２３は、貫通孔２１の前面側の開口縁のうち下縁部から斜め上前方へ片持ち状に延出し、後端縁（貫通孔２１の上縁部）を略支点として上下方向へ弾性的に揺動し得るようになっている。このガイド片２３の弾性撓みの方向は、端子金具１２の挿入方向と交差する方向である。
【００２１】
図２，３に示すように、幅方向（端子金具１２の挿入方向及び一対のガイド片２３の弾性撓み方向の両方向に対して交差する方向）におけるガイド片２３の形成領域は、貫通孔２１の開口幅の範囲内である。また、上下方向（ガイド片２３の弾性撓み方向）において、ガイド片２３が弾性撓みしていない状態では、ガイド片２３の前端同士の上下間隔は、角筒部１３の高さ寸法（上下寸法）と同じか、それよりも僅かに大きい寸法とされている。
【００２２】
図１に示すように、ゴム栓ホルダ２０を取り付けた状態では、ガイド片２３（ガイド部２２）は、一括ゴム栓１６のシール孔１７の後端部の収容空間１９内に収容されている。ガイド片２３は、弾性撓みしていない状態で、リップ部１８とは接触していない。また、ガイド片２３が上下に拡開するように弾性撓みした状態でも、リップ部１８とは接触しない。したがって、リップ部１８がガイド部２２によって傷付けられたり、不正な変形を生じたりする虞はない。
【００２３】
次に、本実施形態１の作用を説明する。端子金具１２を後方からゴム栓ホルダ２０の貫通孔２１に挿入したときに、端子金具１２の位置が正規の挿入経路から上方又は下方へ位置ずれしていた場合には、角筒部１３の前端が、貫通孔２１を通過してシール孔１７の後端部に進入した直後に、上側又は下側のガイド片２３に当接する。それ以降は、端子金具１２の挿入が進むのに伴い、上側又は下側のガイド片２３が、角筒部１３に押されて上方又は下方へ弾性撓みする。
【００２４】
弾性撓みさせられたガイド片２３は、それ自身の弾性復元力により、角筒部１３を下方又は上方へ押圧する。したがって、このガイド片２３の押圧力により、角筒部１３は、上下方向において正規の挿入経路へ誘導され、位置矯正された状態で最も後端に位置するリップ部１８に当接することになる。したがって、角筒部１３が上下方向へ位置ずれした状態でリップ部１８に当接することに起因するリップ部１８の傷付きが生じる虞はない。
【００２５】
上述のように本実施形態１のコネクタＡは、端子金具１２を端子収容室１１に挿入する過程では、角筒部１３がシール孔１７のリップ部１８を弾性的に拡開変形させるようになっているのであるが、ゴム栓ホルダ２０には、ゴム栓ホルダ２０の前面から端子金具１２の挿入方向前方に向かって片持ち状に延出した形態であって、シール孔１７の後端部に収容されたガイド部２２が形成され、端子金具１２の挿入過程では、角筒部１３が、ガイド部２２への摺接により、端子金具１２の挿入方向と交差する方向における正規位置へ誘導されるようになっている。この構成によれば、角筒部１３がシール孔１７の内周（リップ部１８）を傷付けるのを防止することができる。
【００２６】
＜実施形態２＞
次に、本発明を具体化した実施形態２を図４〜図６を参照して説明する。本実施形態２のコネクタＢは、ガイド部３１を上記実施形態１とは異なる構成としたものである。ハウジング１０、端子金具１２、一括ゴム栓１６については上記実施形態１と同じであり、ゴム栓ホルダ３０については、ガイド部３１以外の基本形態が上記実施形態１のゴム栓ホルダ２０と同じであるため、同じ構成については、同一符号を付し、構造、作用及び効果の説明は省略する。
【００２７】
本実施形態２においても、端子金具１２が挿入する際に、挿入方向と交差する方向（上下方向又は左右方向）へ位置ずれしたときに、その位置ずれを矯正して端子金具１２を正規の挿入経路へ誘導するための手段として、ゴム栓ホルダ３０にガイド部３１が一体に形成されている。
【００２８】
図４に示すように、ガイド部３１は、ゴム栓ホルダ３０の前面から端子収容室１１に対する端子金具１２の挿入方向前方（図４における左方）に向かって片持ち状に延出した形態であり、角筒状をなす。ガイド部３１は、貫通孔２１の前面側の開口縁における上下２辺から延出する上下対称な一対の平板状をなすガイド壁３２と、貫通孔２１の前面側の開口縁における左右２辺から延出する左右対称な一対の平板状をなすガイド壁３２とを備えて構成されている。上下一対のガイド壁３２は、端子金具１２の挿入経路を挟んで上下方向（端子金具１２の挿入方向と交差する方向）に対向するように配置されている。左右一対のガイド壁３２は、端子金具１２の挿入経路を挟んで左右方向（端子金具１２の挿入方向と交差する方向）に対向するように配置されている。
【００２９】
この角筒状をなすガイド部３１は、端子金具１２の挿入方向前方に向かって次第に細くなるようなテーパ状をなしている。即ち、上下一対のガイド壁３２のうち上側のガイド壁３２は、貫通孔２１の前面側の開口縁のうち上縁部から斜め下前方へ片持ち状に延出し、下側のガイド壁３２は、貫通孔２１の前面側の開口縁のうち下縁部から斜め上前方へ片持ち状に延出している。つまり、上下一対のガイド壁３２は、端子金具１２の挿入方向前方に向かって対向間隔が次第に狭まるように傾斜している。
【００３０】
一方、左右一対のガイド壁３２のうち左側のガイド壁３２は、貫通孔２１の前面側の開口縁のうち左側縁部から斜め右前方へ片持ち状に延出し、右側のガイド壁３２は、貫通孔２１の前面側の開口縁のうち右側縁部から斜め左前方へ片持ち状に延出している。この左右一対のガイド壁３２も、端子金具１２の挿入方向前方に向かって対向間隔が次第に狭まるように傾斜している。これら４つのガイド壁３２は、その前後方向の側縁同士が略直角をなすように周方向に連なって、角筒形状を構成している。したがって、ガイド壁３２（ガイド部３１）は容易に変形しない。
【００３１】
図５，６に示すように、角筒状をなすガイド部３１の開口面積は、ガイド部３１の後端で最大であり、前端で最小である。そして、ガイド部３１の幅方向（端子金具１２の挿入方向と交差する方向）における最小寸法は、角筒部１３の幅寸法よりも僅かに大きい寸法である。また、ガイド部３１の高さ方向（端子金具１２の挿入方向と交差する方向）における最小寸法は、角筒部１３の高さ寸法よりも僅かに大きい寸法である。したがって、角筒部１３はガイド部３１を通過することができる。
【００３２】
また、図４に示すように、ゴム栓ホルダ３０を取り付けた状態では、ガイド壁３２（ガイド部３１）は、一括ゴム栓１６のシール孔１７の後端部の収容空間１９内に収容され、リップ部１８とは接触していない状態を保つ。したがって、リップ部１８がガイド部３１によって傷付けられたり、不正な変形を生じたりする虞はない。
【００３３】
次に、本実施形態２の作用を説明する。端子金具１２を後方からゴム栓ホルダ３０の貫通孔２１に挿入したときに、端子金具１２の位置が正規の挿入経路から上方又は下方へ位置ずれしていた場合には、角筒部１３の前端が、貫通孔２１を通過してシール孔１７の後端部に進入した直後に、上側又は下側のガイド壁３２に当接する。それ以降は、端子金具１２の挿入が進むのに伴い、角筒部１３が、上側又は下側のガイド壁３２に摺接することにより、下方又は上方へ位置矯正される。そして、角筒部１３の前端がガイド部３１の前端を通過する時点では、角筒部１３が、上下方向において正規の挿入経路へ誘導され、位置矯正された状態で最も後端に位置するリップ部１８に当接することになる。したがって、角筒部１３が上下方向へ位置ずれした状態でリップ部１８に当接することに起因するリップ部１８の傷付きが生じる虞はない。
【００３４】
また、端子金具１２を貫通孔２１に挿入したときに、端子金具１２の位置が正規の挿入経路から左方又は右方へ位置ずれしていた場合には、角筒部１３の前端が、貫通孔２１を通過してシール孔１７の後端部に進入した直後に、左側又は右側のガイド壁３２に当接する。それ以降は、端子金具１２の挿入が進むのに伴い、角筒部１３が、左側又は右側のガイド壁３２に摺接することにより、右方又は左方へ位置矯正される。そして、角筒部１３の前端がガイド部３１の前端を通過する時点では、角筒部１３が、左右方向において正規の挿入経路へ誘導され、位置矯正された状態で最も後端に位置するリップ部１８に当接することになる。したがって、角筒部１３が左右方向へ位置ずれした状態でリップ部１８に当接することに起因するリップ部１８の傷付きが生じる虞はない。
【００３５】
上述のように本実施形態２のコネクタＢは、端子金具１２を端子収容室１１に挿入する過程では、角筒部１３がシール孔１７のリップ部１８を弾性的に拡開変形させるようになっているのであるが、ゴム栓ホルダ３０には、ゴム栓ホルダ３０の前面から端子金具１２の挿入方向前方に向かって片持ち状に延出した形態であって、シール孔１７の後端部に収容されたガイド部３１が形成され、端子金具１２の挿入過程では、角筒部１３が、ガイド部３１への摺接により、端子金具１２の挿入方向と交差する方向における正規位置へ誘導されるようになっている。この構成によれば、角筒部１３がシール孔１７の内周（リップ部１８）を傷付けるのを防止することができる。
【００３６】
また、ガイド部３１は、貫通孔２１の開口縁の４辺から角筒状に延出し、且つ端子金具１２の挿入方向前方に向かって細くなるようなテーパ状をなしている。このように、本実施形態２では、ガイド部３１が貫通孔２１の４辺から延出しているので、端子金具１２の位置ずれ方向がどのような方向であっても、端子金具１２の位置ずれを矯正することができる。
【００３７】
＜他の実施形態＞
本発明は上記記述及び図面によって説明した実施形態に限定されるものではなく、例えば次のような実施形態も本発明の技術的範囲に含まれる。
（１）上記実施形態１では、ガイド片を一対のみとしたが、対向方向が互いに直交するように配置した二対のガイド片を設けてもよい。
（２）上記実施形態１，２では、ガイド部をリップ部と接触しないようにしたが、ガイド部は、リップ部と接触する形態であってもよい。
（３）上記実施形態１，２では、端子金具が雌形の端子である場合について説明したが、本発明は、端子金具が、前端部の細長いタブを有する雄形の端子である場合にも適用できる。
【符号の説明】
【００３８】
Ａ…コネクタ
１０…ハウジング
１１…端子収容室
１２…端子金具
１３…角筒部
１６…一括ゴム栓
１７…シール孔
１８…リップ部
２０…ゴム栓ホルダ
２１…貫通孔
２２…ガイド部
２３…ガイド片
Ｂ…コネクタ
３０…ゴム栓ホルダ
３１…ガイド部
【図１】
2013073719.tif 000003
【図２】
2013073719.tif 000004
【図３】
2013073719.tif 000005
【図４】
2013073719.tif 000006
【図５】
2013073719.tif 000007
【図６】
2013073719.tif 000008